(57)【要約】【課題】静止画と動画の２つの撮影モードで撮影可能な撮像装置において、静止画及び動画それぞれの撮影モードに適した傾きガイド表示が行われるようにする。【解決手段】静止画撮影モードと動画撮影モードとを設定可能な撮像装置であって、撮像画像を表示する画像表示手段１０６と、該撮像装置の基準位置に対する傾き量を検出する傾き検出手段１０７と、傾き検出手段１０７によって検出された傾き量に基づく傾きガイド表示を発生する傾きガイド表示信号発生手段１１２と、画像表示手段１０６の画面上に傾きガイド表示を撮像画像に重畳して表示可能な表示処理手段１０５と、設定される撮影モードに応じて、傾きガイド表示の表示を制御する表示制御手段１０９とを備えた。【選択図】図１
2008011240.tif 000002
【特許請求の範囲】
【請求項１】
静止画撮影モードと動画撮影モードとを設定可能な撮像装置であって、
撮像画像を表示する画像表示手段と、
該撮像装置の基準位置に対する傾き量を検出する傾き検出手段と、
前記傾き検出手段によって検出された傾き量に基づく傾きガイド表示を発生する傾きガイド表示信号発生手段と、
前記画像表示手段の画面上において前記傾きガイド表示を前記撮像画像に重畳することが可能な表示処理手段と、
設定される撮影モードに応じて、前記傾きガイド表示の表示を制御する表示制御手段とを備えたことを特徴とする撮像装置。
【請求項２】
前記表示制御手段は、動画撮影モードが設定される場合に、前記傾きガイド表示を表示しないことを特徴とする請求項１に記載の撮像装置。
【請求項３】
前記傾き検出手段より検出される傾き量を増幅する検出量増幅手段を更に備え、
前記表示制御手段は、設定される撮影モードに応じて、前記検出増幅手段の増幅率を変更することで前記傾きガイド表示の表示を制御することを特徴とする請求項１に記載の撮像装置。
【請求項４】
前記表示制御手段は、静止画撮影モードが設定される場合に、前記検出増幅手段の増幅率を動画撮影モードが設定される場合よりも大きくすることを特徴とする請求項３に記載の撮像装置。
【請求項５】
前記表示制御手段は、設定される撮影モードに応じて、前記傾きガイド表示の表示色を変更することを特徴とする請求項１に記載の撮像装置。
【請求項６】
前記表示制御手段は、設定される撮影モードに応じて、前記傾きガイド表示の表示形状を変更することを特徴とする請求項１又は５に記載の撮像装置。
【請求項７】
前記傾き検出手段によって検出された傾き量の高周波成分の変化を除去するフィルタ手段と、
前記傾き検出手段によって検出された傾き量に前記フィルタ手段による除去処理を施すか否かを切り換えるフィルタ切り換え手段とを更に備え、
前記ガイド表示信号発生手段は、前記傾き検出手段によって検出された傾き量又は前記フィルタ手段によって高周波成分の変化を除去した傾き量のいずれかに基づく傾きガイド表示を発生し、
前記表示制御手段は、設定される撮影モードに応じて、前記フィルタ切り換え手段を切り換えることで前記傾きガイド表示の表示を制御することを特徴とする請求項１に記載の撮像装置。
【請求項８】
前記表示制御手段は、動画撮影モードが設定される場合に、前記フィルタ手段による除去処理を施すように前記フィルタ切り換え手段を切り換えることを特徴とする請求項７に記載の撮像装置。
【請求項９】
静止画撮影モードと動画撮影モードとを設定可能な撮像装置の制御方法であって、
前記撮像装置の基準位置に対する傾き量を傾き検出手段に検出させる傾き検出工程と、
前記傾き検出工程において検出された傾き量に基づく傾きガイド表示を発生する傾きガイド表示信号発生工程と、
前記撮像装置の撮像画像を表示する画像表示手段の画面上において前記傾きガイド表示を前記撮像画像に重畳して表示するとともに、設定される撮影モードに応じて、前記傾きガイド表示の表示を制御する表示制御工程とを有することを特徴とする撮像装置の制御方法。
【請求項１０】
静止画撮影モードと動画撮影モードとを設定可能な撮像装置を制御するためのコンピュータプログラムであって、
前記撮像装置の基準位置に対する傾き量を傾き検出手段に検出させる傾き検出処理と、
前記傾き検出処理において検出された傾き量に基づく傾きガイド表示を発生する傾きガイド表示信号発生処理と、
前記撮像装置の撮像画像を表示する画像表示手段の画面上において前記傾きガイド表示を前記撮像画像に重畳して表示するとともに、設定される撮影モードに応じて、前記傾きガイド表示の表示を制御する表示制御処理とをコンピュータに実行させることを特徴とするコンピュータプログラム。
【発明の詳細な説明】
【技術分野】
【０００１】
本発明は、撮影時にカメラの水平を維持するためのガイド表示等の表示機能を有する撮像装置、その制御方法、及びコンピュータプログラムに関する。
【背景技術】
【０００２】
従来、スチルカメラ、ビデオカメラ等にて撮影された映像を見やすいものとするために、カメラの水平を維持するための方法が提案されている（例えば、特許文献１）。この技術によれば、姿勢検出手段によりカメラの傾きを検出し、検出された傾きに相応する情報を表示手段の画面上にガイド表示を行うことで、カメラが傾いていることを撮影者に提示し、注意を促すようにしている。
【０００３】
また、傾きの表示方法としても、例えば特許文献２で示されるように、水平基準線とカメラの傾きの両方を色分けして表示し、一致したら一本の線として表示する、等の方法が提案されている。
【０００４】
【特許文献１】特開昭６４−４０８２４号公報
【特許文献２】特開２００２−２７１６５４号公報
【発明の開示】
【発明が解決しようとする課題】
【０００５】
近年、静止画と動画の２つの撮影モードを有する撮像装置が普及し、撮影者の意図により静止画撮影モードと動画撮影モードとを切り換えて撮影することが一般化している。
【０００６】
ここで、静止画撮影モードと動画撮影モードのそれぞれについて上記ガイド表示について考えてみる。まず初めに、静止画撮影モードでは、撮像装置に傾きを生じさせたまま撮影してしまうと、傾いた静止画が撮影されてしまうため、撮影時に傾き量を表示する事が必須となる。それに対して、動画撮影モードでは、動画記録時に撮像装置に傾きが生じたとしても、それが左右交互の繰り返しであるならば、再生時の動画の連続性という点に鑑みると、傾き量にもよるが、静止画ほど気にはならない。
【０００７】
次に、ガイド表示方法について考えてみると、静止画撮影の際には傾きがあってはならないので、静止画撮影時には撮影者に傾き補正を促す意味でも視認性の良い表示である必要がある。それに対して、動画撮影時に上記ガイド表示をすると動画撮影の特性上カメラを左右に動かしながら撮影する事も多々あるため、上記ガイド表示がその動作の都度変化し、撮影者の被写体への集中力を欠き撮影の妨げとなりかねない。
【０００８】
本発明は係る実情に鑑みて、静止画と動画の２つの撮影モードで撮影可能な撮像装置において、静止画及び動画それぞれの撮影モードに適した傾きガイド表示が行われるようにすることを目的とする。
【課題を解決するための手段】
【０００９】
本発明の撮像装置は、静止画撮影モードと動画撮影モードとを設定可能な撮像装置であって、撮像画像を表示する画像表示手段と、該撮像装置の基準位置に対する傾き量を検出する傾き検出手段と、前記傾き検出手段によって検出された傾き量に基づく傾きガイド表示を発生する傾きガイド表示信号発生手段と、前記画像表示手段の画面上において前記傾きガイド表示を前記撮像画像に重畳することが可能な表示処理手段と、設定される撮影モードに応じて、前記傾きガイド表示の表示を制御する表示制御手段とを備えたことを特徴とする。
また、本発明の制御方法は、静止画撮影モードと動画撮影モードとを設定可能な撮像装置の制御方法であって、前記撮像装置の基準位置に対する傾き量を傾き検出手段に検出させる傾き検出工程と、前記傾き検出工程において検出された傾き量に基づく傾きガイド表示を発生する傾きガイド表示信号発生工程と、前記撮像装置の撮像画像を表示する画像表示手段の画面上において前記傾きガイド表示を前記撮像画像に重畳して表示するとともに、設定される撮影モードに応じて、前記傾きガイド表示の表示を制御する表示制御工程とを有することを特徴とする。
また、本発明のコンピュータプログラムは、静止画撮影モードと動画撮影モードとを設定可能な撮像装置を制御するためのコンピュータプログラムであって、前記撮像装置の基準位置に対する傾き量を傾き検出手段に検出させる傾き検出処理と、前記傾き検出処理において検出された傾き量に基づく傾きガイド表示を発生する傾きガイド表示信号発生処理と、前記撮像装置の撮像画像を表示する画像表示手段の画面上において前記傾きガイド表示を前記撮像画像に重畳して表示するとともに、設定される撮影モードに応じて、前記傾きガイド表示の表示を制御する表示制御処理とをコンピュータに実行させることを特徴とする。
【発明の効果】
【００１０】
本発明の撮像装置は、静止画撮影モードと動画撮影モードのうちの選択された撮影モードに応じて、傾きガイド表示の表示を制御するようにした。これにより、例えば、静止画撮影モード時には傾きガイド表示をして、動画撮影モード時には傾きガイド表示を表示しないように制御する。この場合、静止画撮影モード時は、撮影者にカメラの傾きが目立たないようにすることを促し、傾きの目立たない静止画を撮影する事が可能となる。また動画撮影モード時は、動画撮影の妨げとならないようにする事が可能となる。
【発明を実施するための最良の形態】
【００１１】
本発明の実施の形態の概要を説明する。本発明の実施の形態に係るビデオカメラは、まず、撮像装置に取り付けられた傾き検出手段にて撮像装置の傾き量を検出する。そして、その傾き量に応じた傾きガイド表示を撮像画像と共に表示装置において表示する。その場合に、撮像装置の撮影モードの切り換えに応じ、前記傾きガイド表示の、表示又は非表示、傾きに対する表示感度の変更、表示色の変更、表示形状の変更及び表示応答性の変更を行うように制御するものである。以下、本発明の第１〜第４の実施の形態を図面に基づいて詳細に説明する。
【００１２】
（第１の実施の形態）
図１は本発明の第１の実施の形態に係るビデオカメラの構成を示すブロック図である。図１において、１０１は被写体を撮影するためのレンズユニットであり、１０２はレンズユニット１０１により結像された被写体像を光電変換するＣＣＤである。
【００１３】
１０４はカメラ信号処理回路であり、ＣＣＤ１０２により得られた被写体像のアナログ撮像信号を内蔵しているＡ／Ｄ変換器により、デジタル信号に変換し、ガンマ補正、ホワイトバランス等、所定の信号処理をした後に標準映像信号を生成する。
【００１４】
１０７はビデオカメラ１００の傾きを検出するための傾きセンサであり、本実施の形態においては加速度センサを使用している。１０８は傾きセンサ１０７の出力を増幅するアンプ回路であり、１１２は入力された傾きセンサ１０７及びアンプ回路１０８からの傾き信号に応じた傾きガイド表示を発生させるガイド表示発生回路である。
【００１５】
１０５はカメラ信号処理回路１０４より得られる標準映像信号に、ガイド表示発生回路１１２より得られる傾きガイド表示を重畳して、ファインダ１０６に同時に表示するための表示重畳回路である。
【００１６】
１３１は撮影モード切り換えスイッチであり、撮影者の撮影意図により操作され、静止画像撮影モードと動画像撮影モードとを切り換える。
【００１７】
１２０はカメラ信号処理回路１０４にて信号処理された標準動画像信号を記録するテープレコーダであり、１２１はカメラ信号処理回路１０４にて信号処理された標準静止画像信号を記録するメモリカードである。
【００１８】
１０９はマイコンであり、撮影モード切り換えスイッチ１３１の操作に応じ、ＣＣＤ１０２やカメラ信号処理回路１０４等の駆動制御を行い、静止画像処理と動画像処理との信号処理方法を切り換える。更には、テープレコーダ１２０への動画像記録、あるいはメモリカード１２１への静止画記録を行うためにシステムを制御すると共に、表示重畳回路１０５を制御している。
【００１９】
１０６は表示重畳回路１０５にて標準映像信号と傾きガイド表示信号とを重畳して生成した画像を表示するファインダである。
【００２０】
次に、各部の動作を説明する。まず、レンズユニット１０１により撮像された被写体像はＣＣＤ１０２に結像する。そして、ＣＣＤ１０２により光電変換された後にカメラ信号処理回路１０４にてデジタル信号に変換した後、ガンマ補正、ホワイトバランス等、所定の信号処理を施し標準映像信号として出力され、テープレコーダ１２０及びメモリカード１２１に伝送される。
【００２１】
一方、傾きセンサ１０７より得られた傾き信号は、アンプ回路１０８にて所定量の増幅が施され、ガイド表示発生回路１１２にて前記傾き信号に応じた傾きガイド表示信号を出力し、表示重畳回路１０５にて標準映像信号と重畳されファインダ１０６に表示される。
【００２２】
次に、撮影モードの切り換えに伴う処理について説明する。まず、撮影モード切り換えスイッチ１３１を切り換え、静止画撮影モードが選択された場合について説明する。
【００２３】
静止画撮影モードが選択されるとマイコン１０９によりＣＣＤ１０２の全画素の読み出し制御が行われると共に、カメラ信号処理回路１０４も静止画像処理に切り換えられる。また同時に、記録メディアもメモリカード１２１が選択される。
【００２４】
さらに撮影モード切り換えスイッチ１３１の切り換えに伴い、マイコン１０９を介し表示重畳回路１０５に表示重畳制御信号が伝送される。なお、表示重畳回路１０５は前記表示重畳制御信号に応じガイド表示発生回路１１２より発生するガイド表示信号をカメラ信号処理回路１０４より得られる標準映像信号に重畳することを実行又は停止するものである。したがって、撮影モード切り換えスイッチ１３１にて静止画撮影モードが選択された場合には表示重畳回路１０５によるガイド表示を実行する。
【００２５】
次に、撮影モード切り換えスイッチ１３１を切り替え、動画撮影モードが選択された場合について説明する。
【００２６】
動画撮影モードが選択されるとマイコン１０９によりＣＣＤ１０２の動画像領域の読み出し制御が行われると共に、カメラ信号処理回路１０４も動画像処理に切り換えられる。また同時に、記録メディアもテープレコーダ１２０が選択される。
【００２７】
さらに撮影モード切り換えスイッチ１３１にて動画撮影モードが選択された場合には、先に説明したように表示重畳回路１０５によるガイド表示を禁止する。
【００２８】
ここで、マイコン１０９の処理について図２を用いて説明する。図２はマイコン１０９内にて処理が行われる撮影モードの切り替えの動作に関連するフローチャートを示している。
【００２９】
同図を順を追って説明していくと、ステップＳ２０１はこのフローの始まりで、例えば映像同期等、所定の周期にて繰り返し実行される。
【００３０】
ステップＳ２０２では、撮影モード切り換えスイッチ１３１にて選択された撮影モードを確認する。撮影モードが静止画撮影モードに設定されている場合はステップＳ２０３へ、撮影モードが動画撮影モードに設定されている場合はステップＳ２０４へ進む。
【００３１】
初めに撮影モードを静止画撮影モードに選択した場合を説明する。
ステップＳ２０３では、撮影モードが静止画撮影モードであるためＣＣＤ１０２の読み出しモードを全画素静止画読み出しモードとする。
【００３２】
次に、ステップＳ２０５では、カメラ信号処理回路１０４の信号処理も同様に静止画信号処理に切り換える。具体的にはＣＣＤ１０２より読み出されたアナログ画像信号を静止画データに変換すべく、デジタル信号変換し、静止画ガンマ補正、ホワイトバランス等、所定の信号処理をした後に標準的な静止画像データをビデオ同期等の所定タイミング毎に生成する。
【００３３】
次に、ステップＳ２０７では、記録媒体にメモリカード１２１を選択する。
【００３４】
次に、ステップＳ２０９では、傾きガイド表示の出力を許可し、表示重畳回路１０５の重畳動作を実行し、標準映像信号に傾きガイド表示を重畳した画像信号をファインダ１０６に電送し表示する。
【００３５】
次に、ステップＳ２１１では、不図示のシャッターボタンが押されたか否かを判断する。シャッターボタンが押された場合にはステップＳ２１３へ進み、押されていない場合にはステップＳ２２０へ進み処理を終了する。
【００３６】
シャッターボタンが押された場合のステップＳ２１３では、その時点で得られた撮像画像をメモリカード１２１に記録してステップＳ２２０へ進み処理を終了する。
【００３７】
以上の処理により静止画撮影モードが選択された場合には傾きガイド表示をファインダ１０６に表示する。
【００３８】
次に、ステップＳ２０２において撮影モードを動画撮影モードに選択した場合を説明する。
【００３９】
まず、ステップＳ２０４では、撮影モードが動画撮影モードであるためＣＣＤ１０２の読み出しモードを動画読み出しモードとする。
【００４０】
次に、ステップＳ２０６では、カメラ信号処理回路１０４の信号処理も同様に動画信号処理に切り換える。具体的にはＣＣＤ１０２より読み出されたアナログ画像信号を動画信号に変換すべく、デジタル信号変換し、動画ガンマ補正、ホワイトバランス等、所定の信号処理をした後に標準的な動画像信号を標準ビデオ同期等の所定タイミング毎に生成する。
【００４１】
次に、ステップＳ２０８では、記録媒体にテープレコーダ１２０を選択する。
【００４２】
次に、ステップＳ２１０では、傾きガイド表示の出力を禁止し、表示重畳回路１０５の重畳動作を停止し、標準映像信号をそのままファインダ１０６に電送し表示する。
【００４３】
次に、ステップＳ２１２では、不図示のトリガースイッチが押されたか否かを判断する。トリガースイッチが押された場合にはステップＳ２１４へ進み、押されていない場合にはステップＳ２２０へ進み処理を終了する。
【００４４】
トリガースイッチが押された場合のステップＳ２１４では、動画撮影中であるか否かを判断する。動画撮影中であればステップＳ２１５へ進み、動画記録中でなければステップＳ２１６へ進む。
【００４５】
動画記録中であった場合のステップＳ２１５では、動画記録中であることからトリガースイッチ操作により動画記録を停止する。
【００４６】
動画記録中でなかった場合のステップＳ２１６では、動画記録停止中であることからトリガースイッチ操作により動画記録を開始する。
【００４７】
以上の処理により動画撮影モードが選択された場合には傾きガイド表示をファインダ１０６に表示せず、撮像画像のみを表示する。
【００４８】
次に、図３は、ビデオカメラ１００の傾きと傾きセンサ１０７（加速度センサ）の関係を示す図である。図３において、１００はビデオカメラ、１０６は表示装置であるファインダ、１０７は傾きセンサ（加速度センサ）である。アンプ回路１０８のゲイン設定を適宜設定することにより、傾きセンサ１０７の出力は、以下のような電圧範囲をとるように設定することができる。
【００４９】
図３（ｂ）はビデオカメラが正位置（基準位置）にある状態を示す。この状態で、傾きセンサ１０７の出力は電源電圧Ｖｃｃの約半分となる。これに対し、図３（ａ）に示すようにビデオカメラ１００を９０度右に傾けると、傾きセンサ１０７の出力は電源電圧Ｖｃｃの近傍となる。逆に図３（ｃ）に示すように９０度左に傾けると、傾きセンサ１０８の出力はＧｎｄレベルの近傍となる。
【００５０】
図３（ａ）と図３（ｂ）、図３（ｂ）と図３（ｃ）の中間の傾きにおいては、傾きセンサ１０８の出力は傾きに対してリニアに変化するものである。このようにすることで、傾き量に応じた電圧に基づき、ガイド表示発生回路１１２より傾き量を示す画像が発生され、表示重畳回路１０５を経て標準映像信号と合成されファインダ１０６に表示される。
【００５１】
図４を用いてファインダ１０６に表示される画像について説明する。図４は静止画記録モードを設定した場合において、ファインダ１０６に傾きガイド表示がされた表示例を示している。
【００５２】
図４において、３０１は傾きガイド表示であり、ガイド表示発生回路１１２にて発生されたものであり、傾きセンサ１０７より得られる傾き信号に応じてその傾き表示量が変更する。その際に前述のようにアンプ回路１０８の増幅率を適正にそろえることで、被写体の傾き（例えば背景の地平線等との傾き「Ａ」で示す）と同等の「Ａ’」に設定することが可能である。
【００５３】
以上のように本発明の第１の実施の形態のビデオカメラ１００においては、静止画撮影モード時には、傾きガイド表示を表示して、動画撮影モードには、傾きガイド表示を表示しないようにしている。したがって、静止画撮影モード時は、撮影者にビデオカメラ１００の傾きが目立たないようにすることを促し、動画撮影モード時は、撮影者の動画撮影の妨げとならないようにする事が可能となる。
【００５４】
（第２の実施の形態）
次に、本発明の第２の実施の形態について説明する。第２の実施の形態の構成は、静止画撮影モード及び動画撮影モードの両モードにおいて、傾きガイド表示を行うものである。その場合において、特に静止画撮影モードにおいては、撮像装置の傾きに対する傾きガイド表示の傾き量を大きくすることにより撮影者への視認性を向上させるものである。
【００５５】
第２の実施の形態を図５を用いて説明する。図５は第２の実施の形態に係るビデオカメラ２００の構成を示すブロック図である。なお、第２の実施の形態のビデオカメラの構成は、おおむね第１の実施の形態と同様であり、共通する部分についての説明は省略する。
【００５６】
まず、第２の実施の形態に係るビデオカメラ２００と第１の実施の形態に係るビデオカメラ１００との差異について説明する。
【００５７】
第２の実施の形態に係るビデオカメラ２００は、その内部に備えたマイコン５０９がアンプ回路５０８の増幅率を制御する点にある。なお、アンプ回路５０８は第１の実施の形態に係るアンプ回路１０８と同様に、傾きセンサ１０７の出力を増幅し、更には外部からの制御信号によりその増幅率を変化させることができるものである。
【００５８】
次に、上記アンプ回路５０８を有し、その増幅率を制御することができる構成においての撮影モードの切り換えに伴う処理について説明する。まず、撮影モード切り換えスイッチ１３１を切り替え、静止画撮影モードが選択された場合について説明する。
【００５９】
静止画撮影モードが選択されるとマイコン５０９によりＣＣＤ１０２の全画素の読み出し制御が行われると共に、カメラ信号処理回路１０４も静止画像処理に切り換えられる。また同時に、記録メディアもメモリカード１２１が選択される。
【００６０】
さらに撮影モード切り換えスイッチ１３１の切り換えに伴い、マイコン５０９を介しアンプ制御回路５０８の増幅率が静止画撮影用のあらかじめ設定された増幅率に切り換えられる。
【００６１】
そして、表示重畳回路１０５は、ガイド表示発生回路１１２より発生するガイド表示信号をカメラ信号処理回路１０４より得られる標準映像信号に重畳することにより傾きガイド表示をファインダ１０６内に表示する。
【００６２】
次に、撮影モード切り換えスイッチ１３１を切り替え、動画撮影モードが選択された場合について説明する。
【００６３】
動画撮影モードが選択されるとマイコン５０９によりＣＣＤ１０２の動画像領域の読み出し制御が行われると共に、カメラ信号処理回路１０４も動画像処理に切り換えられる。また同時に、記録メディアもテープレコーダ１２０が選択される。
【００６４】
更に、アンプ回路５０８の増幅率が動画撮影用の増幅率に変更される。そして、表示重畳回路１０５は、ガイド表示発生回路１１２より発生するガイド表示信号をカメラ信号処理回路１０４より得られる標準映像信号に重畳することにより傾きガイド表示をファインダ１０６内に表示する。
【００６５】
ここで、例えば静止画撮影モード時にアンプ回路５０８の増幅率を動画撮影モード時の２倍とすれば、同じ傾きであってもファインダ１０６に表示される傾きガイド表示は２倍の傾きを示すこととなる。
【００６６】
第２の実施の形態においてのマイコン５０９の処理について図６を用いて説明する。図６はマイコン５０９内にて処理が行われる撮影モードの切り替えの動作に関連するフローチャートを示している。
【００６７】
同図を順を追って説明していくと、ステップＳ６０１はこのフローの始まりで、例えば映像同期等、所定の周期にて繰り返し実行される。
【００６８】
ステップＳ６０２では、撮影モード切り換えスイッチ１３１にて選択された撮影モードを確認する。撮影モードが静止画撮影モードに設定されている場合はステップＳ６０３へ、撮影モードが動画撮影モードに設定されている場合はステップＳ６０４へ進む。
【００６９】
初めに撮影モードを静止画撮影モードに選択した場合を説明する。
ステップＳ６０３では、撮影モードが静止画撮影モードであるためＣＣＤ１０２の読み出しモードを全画素静止画読み出しモードとする。
【００７０】
次に、ステップＳ６０５では、カメラ信号処理回路１０４の信号処理も同様に静止画信号処理に切り換える。具体的にはＣＣＤ１０２より読み出されたアナログ画像信号を静止画データに変換すべく、デジタル信号変換し、静止画ガンマ補正、ホワイトバランス等、所定の信号処理をした後に標準的な静止画像データをビデオ同期等の所定タイミング毎に生成する。
【００７１】
次に、ステップ６０７では、記録媒体にメモリカード１２１を選択する。
【００７２】
次に、ステップＳ６０９では、マイコン１０９よりアンプ５０８の増幅率を２倍（動画撮影モード時に対して２倍）にして、傾きガイド表示の傾きを増した上で、標準映像信号に傾きガイド表示を重畳した画像信号をファインダ１０６に電送し表示する。
【００７３】
次に、Ｓ６１１では、不図示のシャッターボタンが押されたか否かを判断する。シャッターボタンが押された場合にはＳ６１３へ進み、押されていない場合にはＳ６２０へ進み処理を終了する。
【００７４】
シャッターボタンが押された場合のステップＳ６１３では、その時点で得られた撮像画像をメモリカード１２１に記録してステップＳ６２０へ進み処理を終了する。
【００７５】
以上の処理により静止画撮影モードが選択された場合には傾きガイド表示をファインダ１０６に表示することができる。
【００７６】
次に、ステップＳ６０２において撮影モードを動画撮影モードに選択した場合を説明する。
【００７７】
まず、ステップＳ６０４では、撮影モードが動画撮影モードであるためＣＣＤ１０２の読み出しモードを動画読み出しモードとする。
【００７８】
次に、ステップＳ６０６では、カメラ信号処理回路１０４の信号処理も同様に動画信号処理に切り換える。具体的にはＣＣＤ１０２より読み出されたアナログ画像信号を動画信号に変換すべく、デジタル信号変換し、動画ガンマ補正、ホワイトバランス等、所定の信号処理をした後に標準的な動画像信号を標準ビデオ同期等の所定タイミング毎に生成する。
【００７９】
次に、ステップＳ６０８では、記録媒体にテープレコーダ１２０を選択する。
【００８０】
次に、ステップＳ６１０では、アンプ回路５０８の増幅率を標準に戻し、傾きガイド表示の傾きを実傾きにあわせた上で、標準映像信号に傾きガイド表示を重畳し、ファインダ１０６に電送し表示する。
【００８１】
次に、ステップＳ６１２では、不図示のトリガースイッチが押されたか否かを判断する。トリガースイッチが押された場合にはＳ６１４へ進み、押されていない場合にはステップＳ６２０へ進み処理を終了する。
【００８２】
トリガースイッチが押された場合のステップＳ６１４では、動画撮影中であるか否かを判断する。動画撮影中であればステップＳ６１５へ進み、動画記録中でなければステップＳ６１６へ進む。
【００８３】
動画記録中であった場合のステップＳ６１５では、動画記録中であることからトリガースイッチ操作により動画記録を停止する。
【００８４】
動画記録中でなかった場合のステップＳ６１６では、動画記録停止中であることからトリガースイッチ操作により動画記録を開始する。
【００８５】
以上の処理により静止画撮影モードが選択された場合には傾きガイド表示の感度を上げファインダ１０６に表示する。即ち、傾きガイド表示の傾き量を実傾きより大きくして表示することができる。
【００８６】
なお、ビデオカメラ２００の傾きと、傾きセンサ１０７（加速度センサ）の関係は前記第１の実施の形態において図３を用いて説明したものと同等である。
【００８７】
図７を用いファインダ１０６に表示される画像について説明する。図７（ａ）は静止画記録モードを設定した場合において、ファインダ１０６に傾きガイド表示がされた表示例を示している。
【００８８】
図７（ａ）において、７０１は傾きガイド表示であり、ガイド表示発生回路１１２にて発生されたものであり、傾きセンサ１０７より得られる傾き信号に応じてその傾き表示量を変更する。図７（ａ）の静止画記録モードを設定した場合には、被写体の傾き（例えば背景の地平線等の傾き「Ａ」）に対し、傾きガイド表示の傾き量が２倍の「Ｂ」となっている。これにより、撮影者への視認性を高めている。
【００８９】
また、図７（ｂ）の動画記録モードを設定した場合には、傾きガイド表示７０１’の傾き表示量は第１の実施の形態と同様に傾き角度「Ａ」に対し同一量の「Ａ’」としている。
【００９０】
以上のように本発明の第２の実施の形態のビデオカメラ２００においては、静止画撮影モード時には、傾きガイド表示を実傾きよりも大きくして顕著にさせることで動画撮影モード時よりも視認性を増して表示する。これにより、静止画撮影モード時には、ビデオカメラ２００の傾きを撮影者によりわかりやすく表示し、動画撮影モード時には撮影者の動画撮影の妨げとならないように表示する事が可能となる。
【００９１】
（第３の実施の形態）
【００９２】
次に、本発明の第３の実施の形態について説明する。第３の実施の形態の構成は、静止画撮影モード及び動画撮影モードの両モードにおいて、傾きガイド表示を行う。その場合において、特に静止画撮影モードにおいては、撮像装置の傾きに対する傾きガイド表示の表示色又は表示形態を変えることにより撮影者への視認性を向上するものである。
【００９３】
第３の実施の形態を図８を用いて説明する。図８は第３の実施の形態に係るビデオカメラ３００の構成を示すブロック図である。なお、第３の実施の形態のビデオカメラの構成は、おおむね第１の実施の形態と同様であり、共通する部分についての説明は省略する。
【００９４】
まず、第３の実施の形態に係るビデオカメラ３００と第１の実施の形態に係るビデオカメラ１００との差異について説明する。
【００９５】
第３の実施の形態に係るビデオカメラ３００は、入力された傾き信号に応じた傾きガイド表示を発生させるガイド表示発生回路８１２が、マイコン８０９の制御信号により、発生するガイド表示信号の表示色やキャラクタ形状を変更する機能を有する点にある。
【００９６】
上記ガイド表示発生回路８１２及びマイコン８０９を有する構成においての撮影モードの切り換えに伴う処理について説明する。まず、撮影モード切り換えスイッチ１３１を切り替え、静止画撮影モードが選択された場合について説明する。
【００９７】
静止画撮影モードが選択されるとマイコン８０９によりＣＣＤ１０２の全画素の読み出し制御が行われると共に、カメラ信号処理回路１０４も静止画像処理に切り換えられる。また同時に、記録メディアもメモリカード１２１が選択される。
【００９８】
さらに撮影モード切り換えスイッチ１３１の切り換えに伴い、マイコン８０９を介しガイド表示発生回路８１２より発生する傾きガイド表示の表示色、あるいはキャラクタ形状を変更する。変更の手法はあらかじめ出力が可能な２つの色、あるいは２種類のキャラクタを、マイコン８０９からの制御信号により切り換えて出力するもので良い。
【００９９】
そして、表示重畳回路１０５は、ガイド表示発生回路８１２より発生するガイド表示信号をカメラ信号処理回路１０４より得られる標準映像信号に重畳することにより傾きガイド表示をファインダ１０６内に表示する。
【０１００】
次に、撮影モード切り換えスイッチ１３１を切り換え、動画撮影モードが選択された場合について説明する。
【０１０１】
動画撮影モードが選択されるとマイコン８０９によりＣＣＤ１０２の動画像領域の読み出し制御が行われると共に、カメラ信号処理回路１０４も動画像処理に切り換えられる。また同時に、記録メディアもテープレコーダ１２０が選択される。
【０１０２】
更に、ガイド表示発生回路８１２より発生する傾きガイド表示の表示色、あるいはキャラクタ形状を標準表示に戻す。
【０１０３】
そして、表示重畳回路１０５はガイド表示発生回路８１２より発生するガイド表示信号をカメラ信号処理回路１０４より得られる標準映像信号に重畳することにより傾きガイド表示をファインダ１０６内に表示する。
【０１０４】
マイコン８０９の処理について図９を用いて説明する。図９はマイコン８０９内にて処理が行われる撮影モードの切り替えの動作に関連したフローチャートを示している。
【０１０５】
同図を順を追って説明していくと、ステップＳ９０１はこのフローの始まりで、例えば映像同期等、所定の周期にて繰り返し実行される。
【０１０６】
ステップＳ９０２では、撮影モード切り換えスイッチ１３１にて選択された撮影モードを確認する。撮影モードが静止画撮影モードに設定されている場合はステップＳ９０３へ、撮影モードが動画撮影モードに設定されている場合はステップＳ９０４へ進む。
【０１０７】
初めに撮影モードを静止画撮影モードに選択した場合を説明する。
ステップＳ９０３では、撮影モードが静止画撮影モードであるためＣＣＤ１０２の読み出しモードを全画素静止画読み出しモードとする。
【０１０８】
次に、ステップＳ９０５では、カメラ信号処理回路１０４の信号処理も同様に静止画信号処理に切り換える。具体的にはＣＣＤ１０２より読み出されたアナログ画像信号を静止画データに変換すべく、デジタル信号変換し、静止画ガンマ補正、ホワイトバランス等、所定の信号処理をした後に標準的な静止画像データをビデオ同期等の所定タイミング毎に生成する。
【０１０９】
次に、ステップＳ９０７では、記録媒体にメモリカード１２１を選択する。
【０１１０】
次に、ステップＳ９０９では、マイコン８０９よりガイド表示発生回路８１２より発生する表示色あるいは表示キャラクタを変更した上で、標準映像信号に傾きガイド表示を重畳した画像信号をファインダ１０６に電送し表示する。
【０１１１】
次に、ステップＳ９１１では、不図示のシャッターボタンが押されたか否かを判断する。シャッターボタンが押された場合にはステップＳ９１３へ進み、押されていない場合にはステップＳ９２０へ進み処理を終了する。
【０１１２】
シャッターボタン押された場合のステップＳ９１３では、その時点で得られた撮像画像をメモリカード１２１に記録してステップＳ９２０へ進み処理を終了する。
【０１１３】
以上の処理により静止画撮影モードが選択された場合には傾きガイド表示をファインダ１０６に表示することができる。
【０１１４】
次に、ステップＳ９０２において撮影モードを動画撮影モードに選択した場合を説明する。
【０１１５】
まず、ステップＳ９０４では、撮影モードが動画撮影モードであるためＣＣＤ１０２の読み出しモードを動画読み出しモードとする。
【０１１６】
次に、ステップＳ９０６では、カメラ信号処理回路１０４の信号処理も同様に動画信号処理に切り換える。具体的にはＣＣＤ１０２より読み出されたアナログ画像信号を動画信号に変換すべく、デジタル信号変換し、動画ガンマ補正、ホワイトバランス等、所定の信号処理をした後に標準的な動画像信号を標準ビデオ同期等の所定タイミング毎に生成する。
【０１１７】
次に、ステップＳ９０８では、記録媒体にテープレコーダ１２０を選択する。
【０１１８】
次に、ステップＳ９１０では、マイコン８０９が指示してガイド表示発生回路８１２より発生する表示色あるいは表示キャラクタを標準状態に戻した上で、標準映像信号に傾きガイド表示を重畳し、ファインダ１０６に電送し表示する。
【０１１９】
次に、ステップＳ９１２では、不図示のトリガースイッチが押されたか否かを判断する。トリガースイッチが押された場合にはステップＳ９１４へ進み、押されていない場合にはステップＳ９２０へ進み処理を終了する。
【０１２０】
トリガースイッチが押された場合のステップＳ９１４では、動画撮影中であるか否かを判断する。動画撮影中であればステップＳ９１５へ進み、動画記録中でなければステップＳ９１６へ進む。
【０１２１】
動画記録中であった場合のステップＳ９１５では、動画記録中であることからトリガースイッチ操作により動画記録を停止する。
【０１２２】
動画記録中でなかった場合のステップＳ９１６では、動画記録停止中であることからトリガースイッチ操作により動画記録を開始する。
【０１２３】
以上の処理により静止画撮影モードが選択された場合には傾きガイド表示の表示色、あるいはキャラクタ形状を変更しファインダ１０６に表示する。
【０１２４】
なお、ビデオカメラ３００の傾きと、傾きセンサ１０７（加速度センサ）の関係は前記第１の実施の形態において図３を用いて説明したものと同等である。
【０１２５】
図１０を用いファインダ１０６に表示される画像について説明する。図１０は静止画記録モードを設定した場合において、ファインダ１０６に傾きガイド表示がされた表示例を示している。
【０１２６】
図１０において、１００１は傾きガイド表示であり、ガイド表示発生回路８１２にて発生されたものであり、マイコン８０９の制御信号により、前述第１及び第２の実施の形態に示した表示に対し、傾きが生じていることが明確に視認できる表示となっている。即ち、この例では傾きガイド表示が太く且つ矢印付きで誇張されて表示されている。
【０１２７】
なお、表示キャラクタの形状は同図に示す限りではなく、静止画撮影モードに切り換えた際に視認性がより高い表示形状に変更するものであれば良い。同様に、表示色についても静止画撮影モードに切り換えた際に視認性がより高い表示形状に変更するものであれば良い。
【０１２８】
以上のように本発明の第３の実施の形態のビデオカメラ３００においては、静止画撮影モード時には、傾きガイド表示をその形状を変える等して動画撮影モード時よりも視認性を増して表示する。これにより、静止画撮影モード時には、ビデオカメラ３００の傾きを撮影者によりわかりやすく表示し、動画撮影モード時には撮影者の動画撮影の妨げとならないように表示する事が可能となる。
【０１２９】
（第４の実施の形態）
次に、本発明の第４の実施の形態について説明する。第４の実施の形態の構成は、静止画撮影モード及び動画撮影モードの両モードにおいて、傾きガイド表示を行う。その場合において、特に静止画撮影モード時と動画撮影モード時とで、そのガイド表示の応答性を変更することにより、動画撮影時にファインダ表示画像が煩雑になることを軽減するものである。
【０１３０】
第４の実施の形態を図１１を用いて説明する。図１１は第４の実施の形態に係るビデオカメラ４００の構成を示すブロック図である。なお、第４の実施の形態のビデオカメラの構成は、おおむね第１の実施の形態と同様であり、共通する部分については説明を省略する。
【０１３１】
まず、第４の実施の形態に係るビデオカメラ４００と第１の実施の形態に係るビデオカメラ１００との差異について説明する。
【０１３２】
第４の実施の形態に係るビデオカメラ４００は、その内部にアンプ回路１０８で増幅された傾き信号の周波数帯域を制限するローパスフィルタ１１３２（以下、ＬＰＦと称す）と、マイコン１１０９の制御信号に基づきアンプ回路１０８の出力信号及びアンプ回路１０８の出力信号にＬＰＦ１１３２を施した出力信号のいずれかをガイド表示発生回路１１１２に入力するかを切り換える切り換えスイッチ１１３３とを有している点にある。
【０１３３】
そして、ＬＰＦ１１３２は、傾きセンサ１０７より得られた傾き信号がアンプ回路１０８にて所定量の増幅が施された後に、帯域制限処理を行い、切り換えスイッチ１１３３を介しガイド表示発生回路１１１２に入力される。そして、ガイド表示発生回路１１１２は、帯域制限処理された傾き信号に応じた傾きガイド表示信号を出力して、該信号は、表示重畳回路１０５にて標準映像信号と重畳されファインダ１０６にガイド表示がされる。
【０１３４】
以下、第４の実施の形態の構成においての撮影モードの切り換えに伴う処理について説明する。まず、撮影モード切り換えスイッチ１３１を切り替え、静止画撮影モードが選択された場合について説明する。
【０１３５】
静止画撮影モードが選択されるとマイコン１１０９によりＣＣＤ１０２の全画素の読み出し制御が行われると共に、カメラ信号処理回路１０４も静止画像処理に切り換えられる。また同時に、記録メディアもメモリカード１２１が選択される。
【０１３６】
さらに撮影モード切り換えスイッチ１３１の切り換えに伴い、マイコン１１０９を介し切り換えスイッチ１１３３がアンプ回路１０８側を選択する。即ち、ガイド表示発生回路１１１２にはアンプ回路１０８にて増幅された傾き信号が加わることとなる。
【０１３７】
そして、表示重畳回路１０５はガイド表示発生回路１１１２より発生するガイド表示信号をカメラ信号処理回路１０４より得られる標準映像信号に重畳することにより傾きガイド表示をファインダ１０６内に表示する。
【０１３８】
次に、撮影モード切り換えスイッチ１３１を切り換え、動画撮影モードが選択された場合について説明する。
【０１３９】
動画撮影モードが選択されるとマイコン１１０９によりＣＣＤ１０２の動画像領域の読み出し制御が行われると共に、カメラ信号処理回路１０４も動画像処理に切り換えられる。また同時に、記録メディアもテープレコーダ１２０が選択される。
【０１４０】
さらに撮影モード切り換えスイッチ１３１の切り換えに伴い、マイコン１１０９を介し切り換えスイッチ１１３３がＬＰＦ１１３２側を選択する（図１１の状態）。即ち、ガイド表示発生回路１１１２にはアンプ回路１０８にて増幅された傾き信号のうちＬＰＦ１１３２により高い周波数帯域が制限された傾き信号が加わることとなる。
【０１４１】
そして、表示重畳回路１０５はガイド表示発生回路１１１２より発生するガイド表示信号をカメラ信号処理回路１０４より得られる標準映像信号に重畳することにより傾きガイド表示をファインダ１０６内に表示する。
【０１４２】
マイコン１１０９の処理について図１２を用いて説明する。図１２はマイコン１１０９内にて処理が行われる撮影モードの切り替えの動作に関連するフローチャートを示している。
【０１４３】
同図を順を追って説明していくと、ステップＳ１２０１はこのフローの始まりで、例えば映像同期等、所定の周期にて繰り返し実行される。
【０１４４】
ステップＳ１２０２では、撮影モード切り換えスイッチ１３１にて選択された撮影モードを確認する。撮影モードが静止画撮影モードに設定されている場合はステップＳ１２０３へ、撮影モードが動画撮影モードに設定されている場合はステップＳ１２０４へ進む。
【０１４５】
初めに撮影モードを静止画撮影モードに選択した場合を説明する。
ステップＳ１２０３では、撮影モードが静止画撮影モードであるためＣＣＤ１０２の読み出しモードを全画素静止画読み出しモードとする。
【０１４６】
次に、ステップＳ１２０５では、カメラ信号処理回路１０４の信号処理も同様に静止画信号処理に切り換える。具体的にはＣＣＤ１０２より読み出されたアナログ画像信号を静止画データに変換すべく、デジタル信号変換し、静止画ガンマ補正、ホワイトバランス等、所定の信号処理をした後に標準的な静止画像データをビデオ同期等の所定タイミング毎に生成する。
【０１４７】
次に、ステップＳ１２０７では、記録媒体にメモリカード１２１を選択する。
【０１４８】
次に、ステップＳ１２０９では、マイコン１１０９より切り換えスイッチ１１３３にアンプ回路１０８の出力側を選択させて、標準映像信号に周波数帯域制限を施さない傾きガイド表示を重畳した画像信号をファインダ１０６に電送し表示する。
【０１４９】
次に、ステップＳ１２１１では、不図示のシャッターボタンが押されたか否かを判断する。シャッターボタンが押された場合にはステップＳ１２１３へ進み、押されていない場合にはステップＳ１２２０へ進み処理を終了する。
【０１５０】
シャッターボタンが押された場合のステップＳ１２１３では、その時点で得られた撮像画像をメモリカード１２１に記録してステップＳ１２２０へ進み処理を終了する。
【０１５１】
以上の処理により静止画撮影モードが選択された場合には傾きガイド表示をファインダ１０６に表示することができる。
【０１５２】
次に、ステップＳ１２０２において撮影モードを動画撮影モードに選択した場合を説明する。
【０１５３】
まず、ステップＳ１２０４では、撮影モードが動画撮影モードであるためＣＣＤ１０２の読み出しモードを動画読み出しモードとする。
【０１５４】
次に、ステップＳ１２０６では、カメラ信号処理回路１０４の信号処理も同様に動画信号処理に切り換える。具体的にはＣＣＤ１０２より読み出されたアナログ画像信号を動画信号に変換すべく、デジタル信号変換し、動画ガンマ補正、ホワイトバランス等、所定の信号処理をした後に標準的な動画像信号を標準ビデオ同期等の所定タイミング毎に生成する。
【０１５５】
次に、ステップＳ１２０８では、記録媒体にテープレコーダ１２０を選択する。
【０１５６】
次に、ステップＳ１２１０では、マイコン１１０９より切り換えスイッチ１１３３にＬＰＦ１１３２の出力側を選択させて、標準映像信号に周波数帯域制限を施した傾きガイド表示を重畳した画像信号をファインダ１０６に電送し表示する。
【０１５７】
次に、ステップＳ１２１２では、不図示のトリガースイッチが押されたか否かを判断する。トリガースイッチが押された場合にはステップＳ１２１４へ進み、押されていない場合にはステップＳ１２２０へ進み処理を終了する。
【０１５８】
トリガースイッチが押された場合のステップＳ１２１４では、動画撮影中であるか否かを判断する。動画撮影中であればステップＳ１２１５へ進み、動画記録中でなければステップＳ１２１６へ進む。
【０１５９】
動画記録中であった場合のステップＳ１２１５では、動画記録中であることからトリガースイッチ操作により動画記録を停止する。
【０１６０】
動画記録中でなかった場合のステップＳ１２１６では、動画記録停止中であることからトリガースイッチ操作により動画記録を開始する。
【０１６１】
以上の処理により静止画撮影モードが選択された場合には傾きガイド表示の周波数応答性を変えず、動画撮影モードが選択された場合には傾きガイド表示の周波数応答性を制限した上でファインダ１０６に表示する。
【０１６２】
なお、ビデオカメラ４００の傾きと、傾きセンサ１０７（加速度センサ）の関係は前記第１の実施の形態において図３を用いて説明したものと同等である。また、ファインダ表示については、その応答性を除き他の実施の形態のものと変わることはない。
【０１６３】
以上のように本発明の第４の実施の形態のビデオカメラ４００においては、静止画撮影モード時には、傾きガイド表示を動画撮影モード時よりも応答性を増して表示する。これにより、動画撮影モード時には、静止画撮影モード時よりも傾きガイド表示の応答性を減じているため、必要以上に傾きガイド表示の傾きの変化を表示しないようにすることができる。
【０１６４】
なお、本発明の目的は、上述した実施形態の機能を実現するソフトウェアのプログラム
コードを記録した記憶媒体を、システム或いは装置に供給し、そのシステム或いは装置の
コンピュータ（又はＣＰＵやＭＰＵ）が記憶媒体に格納されたプログラムコードを読み出
し実行することによっても、達成されることは言うまでもない。
【０１６５】
この場合、記憶媒体から読み出されたプログラムコード自体が上述した実施形態の機能
を実現することになり、プログラムコード自体及びそのプログラムコードを記憶した記憶
媒体は本発明を構成することになる。
【０１６６】
プログラムコードを供給するための記憶媒体としては、例えば、フレキシブルディスク
、ハードディスク、光ディスク、光磁気ディスク、ＣＤ−ＲＯＭ、ＣＤ−Ｒ、磁気テープ
、不揮発性のメモリカード、ＲＯＭ等を用いることができる。
【０１６７】
また、コンピュータが読み出したプログラムコードを実行することにより、上述した実
施形態の機能が実現されるだけでなく、そのプログラムコードの指示に基づき、コンピュ
ータ上で稼動しているＯＳ（基本システム或いはオペレーティングシステム）等が実際の
処理の一部又は全部を行い、その処理によって上述した実施形態の機能が実現される場合
も含まれることは言うまでもない。
【０１６８】
さらに、記憶媒体から読み出されたプログラムコードが、コンピュータに挿入された機
能拡張ボードやコンピュータに接続された機能拡張ユニットに備わるメモリに書き込まれ
た後、そのプログラムコードの指示に基づき、その機能拡張ボードや機能拡張ユニットに
備わるＣＰＵ等が実際の処理の一部又は全部を行い、その処理によって上述した実施形態
の機能が実現される場合も含まれることは言うまでもない。
【図面の簡単な説明】
【０１６９】
【図１】本発明の第１の実施の形態に係るビデオカメラの構成を示すブロック図である。
【図２】本発明の第１の実施の形態に係るビデオカメラの動作について説明するためのフローチャートである。
【図３】本発明の第１の実施の形態に係るビデオカメラの傾きセンサについて説明するための図である。
【図４】本発明の第１の実施の形態に係るビデオカメラにおける傾きガイド表示の表示例を示す図である。
【図５】本発明の第２の実施の形態に係るビデオカメラの構成を示すブロック図である。
【図６】本発明の第２の実施の形態に係るビデオカメラの動作について説明するためのフローチャートである。
【図７】本発明の第２の実施の形態に係るビデオカメラにおける傾きガイド表示の表示例を示す図である。
【図８】本発明の第３の実施の形態に係るビデオカメラの構成を示すブロック図である。
【図９】本発明の第３の実施の形態に係るビデオカメラの動作について説明するためのフローチャートである。
【図１０】本発明の第３の実施の形態に係るビデオカメラにおける傾きガイド表示の表示例を示す図である。
【図１１】本発明の第４の実施の形態に係るビデオカメラの構成を示すブロック図である。
【図１２】本発明の第４の実施の形態に係るビデオカメラの動作について説明するためのフローチャートである。
【符号の説明】
【０１７０】
１００  ビデオカメラ
１０１  レンズユニット
１０２  ＣＣＤ
１０４  カメラ信号処理回路
１０５  表示重畳回路
１０６  ファインダ
１０７  傾きセンサ
１０８  アンプ回路
１０９  マイコン
１３１  撮影モード切り換えスイッチ
２００  ビデオカメラ
３００  ビデオカメラ
４００  ビデオカメラ
５０８  アンプ回路
５０９  マイコン
８０９  マイコン
８１２  ガイド表示発生回路
１１０９  マイコン
１１１２  ガイド表示発生回路
１１３２  ローパスフィルタ（ＬＰＦ）
１１３３  切り換えスイッチ
【図１】
2008011240.tif 000003
【図２】
2008011240.tif 000004
【図３】
2008011240.tif 000005
【図４】
2008011240.tif 000006
【図５】
2008011240.tif 000007
【図６】
2008011240.tif 000008
【図７】
2008011240.tif 000009
【図８】
2008011240.tif 000010
【図９】
2008011240.tif 000011
【図１０】
2008011240.tif 000012
【図１１】
2008011240.tif 000013
【図１２】
2008011240.tif 000014